(57)【要約】【課題】コンテンツ配信事業において，コンテンツ配信者に対してコンテンツを取得に来た利用者の情報はコンテンツ配信者が把握することは可能であるが，そのコンテンツが利用者間で授受された場合，コンテンツの所有者が不明確であると共に，その授受がどのような経路で行われたかを把握することはできない．【解決手段】コンテンツ配信においてコンテンツを利用者情報を用いて暗号化し配信すると共に，コンテンツの暗号化を解読した場合，その暗号化コンテンツの解読した人の所有となるよう利用者情報を更新すると共に，暗号コンテンツおよび解読者の個人情報を抽出することで，利用者間のコンテンツ授受情報を把握し，人をノード，授受を有向エッジとしたグラフに表現する．【選択図】　　図１
2004040746.tif 000002
【特許請求の範囲】
【請求項１】
コンピュータネットワークによりコンテンツデータを配信するシステムにおいて，
コンテンツ利用者の個人情報を登録する利用者登録手段と
コンテンツデータを利用者登録手段によって登録された利用者の個人情報より当該利用者独自の暗号化を行うコンテンツ暗号化手段と，
利用者登録手段によって登録された利用者の個人情報より当該利用者独自の暗号鍵を生成する利用者暗号鍵生成手段と
コンテンツ暗号化手段により暗号化された暗号コンテンツを利用者暗号鍵生成手段により生成した暗号鍵を用いることでコンテンツの暗号を解読すると共に，暗号コンテンツの利用者情報および暗号鍵の利用者情報を抽出しコンテンツ配信者にその情報を送信する利用者情報抽出手段を持つ事で，
コンテンツの授受情報をコンテンツ配信者に伝えることができるコンテンツ授受情報抽出システム．
【請求項２】
請求項１に記すコンテンツ授受情報抽出システムの利用者情報抽出手段において，暗号コンテンツの利用者情報および暗号鍵の利用者情報が異なる利用者である場合，
暗号コンテンツの利用者情報を暗号鍵の利用者情報に更新する利用者情報更新手段を持つことで，
コンテンツの所有者を最終利用者に更新することを特徴とするコンテンツ所有者更新システム．
【請求項３】
コンテンツ配信者において，請求項１に記すコンテンツ授受情報抽出システムの利用者情報抽出手段から送られた暗号コンテンツの利用者情報および暗号鍵の利用者情報を受けとり
授受情報を整理し授受した利用者のネットワークを作成する利用者ネットワーク作成手段を持つ事で，
利用者間でのコンテンツ授受情報から人間ネットワークを抽出するコンテンツ授受情報からの人間ネットワークの抽出システム．
【発明の詳細な説明】
【０００１】
【発明の属する技術分野】
本発明は、コンピュータネットワークを介した有料のプログラムの配信、有料の音楽情報の配信、書籍情報の配信など、コンピュータネットワークを介したあらゆるコンテンツの配信において利用可能である。
【０００２】
【従来の技術】
従来，コンテンツ配信者からコンテンツをダウンロードした利用者に対しては，コンテンツ配信者はその利用者の情報を把握することは可能であった．しかし，コンテンツの利用者から第３社に対してコンテンツを授受された場合，コンテンツ配信者は利用者からの申請がない場合，その情報を把握することはできなかった．
【０００３】
【発明が解決しようとする課題】
このように従来のコンテンツ配信においては，コンテンツ配信者からの一時配信先となった利用者に関する情報しか取り得なかった．即ち，二時配信先となる利用者は隠蔽されているため，改ざんや複製の作成など違法な行為をしても，行った人を特定するのは困難であった．またコンテンツの授受情報が掴めれば，誰に対してマーケティングすれば効率的かという貴重なマーケティング情報を得ることができる．したがって，違法行為の抑制と重要なマーケティング情報の取得のためには，利用者間でのコンテンツの授受情報を得ることが必要となる．
【０００４】
【課題を解決するための手段】
そこで，請求項１に示すように，コンピュータネットワークによりコンテンツデータを配信するシステムにおいて，コンテンツ利用者の個人情報を登録する利用者登録手段とコンテンツデータを利用者登録手段によって登録された利用者の個人情報より当該利用者独自の暗号化を行うコンテンツ暗号化手段と，利用者登録手段によって登録された利用者の個人情報より当該利用者独自の暗号鍵を生成する利用者暗号鍵生成手段と，コンテンツ暗号化手段により暗号化された暗号コンテンツを利用者暗号鍵生成手段により生成した暗号鍵を用いることでコンテンツの暗号を解読すると共に，暗号コンテンツの利用者情報および暗号鍵の利用者情報を抽出しコンテンツ配信者にその情報を送信する利用者情報抽出手段を持つ事で，コンテンツの授受情報をコンテンツ配信者に伝えることができるコンテンツ授受情報抽出システムを実現する．
【０００５】
更には請求項２に示すとおり，暗号コンテンツの利用者情報および暗号鍵の利用者情報が異なる利用者である場合，暗号コンテンツの利用者情報を暗号鍵の利用者情報に更新する利用者情報更新手段を持つことで，コンテンツの所有者を最終利用者に更新することを特徴とするコンテンツ所有者更新システムを実現すると共に，請求項３に示すとおり，利用者情報抽出手段から送られた暗号コンテンツの利用者情報および暗号鍵の利用者情報を受けとり，授受情報を整理し授受した利用者のネットワークを作成する利用者ネットワーク作成手段を持つ事で，利用者間でのコンテンツ授受情報から人間ネットワークを抽出するコンテンツ授受情報からの人間ネットワークの抽出システムを実現することで解決する．
【０００６】
【発明の実施の形態】
本発明のコンテンツ授受情報からの人間ネットワークの抽出システムは，コンテンツの最終利用者がそのコンテンツの所有者であるという考えを基本に，個々の授受情報を抽出し，人のノードとして，授受をエッジとする有向グラフとして接続することでコンテンツ授受がどのような人達の間で行われたかをネットワークとして抽出する．
【０００７】
【実施例】
以下、本発明をその実施例を示す図に基づいて説明する。図１は、本発明のコンテンツ授受情報からの人間ネットワークの抽出システムについてシステム構成の概要を示した図である。
【０００８】
コンテンツの利用者２は、まずコンテンツ配信者１の持つ利用者登録手段１１に対して、住所や氏名などの個人情報と共に、コンテンツ利用代金の支払方法などを登録する．登録が終了すると利用者暗号鍵生成手段１３より利用者特有の暗号鍵が生成され送られてくる．
【０００９】
次に利用したいコンテンツをダウンロードする．このコンテンツはコンテンツ暗号化手段１２により利用者の個人情報などを用いて利用者毎に独自の暗号化を行ったコンテンツとなる．暗号化は独自のフォーマットなので利用者固有の情報を埋め込むことに技術的な問題点はない．
【００１０】
利用者は暗号化コンテンツと暗号鍵を入手すると利用者情報抽出手段２１を用いて暗号化コンテンツの暗号を解読し，元のアプリケーションプログラムが利用可能なフォーマットのコンテンツに戻す．このとき，解読後の情報にも利用者固有の情報を埋め込む．この埋め込み方法であるが，例えば，一般的に様々なコンテンツには独自のデータフォーマットが存在し，そのフォーマット規則に反する情報が負荷される事は許されない．しかし，コンピュータをオペレーティングシステムがデータ管理を実施するためのファイル管理部分は全てのデータフォーマットに存在する．本発明では，コンテンツ利用者が個人情報を登録する利用者登録手段１１で登録した場合利用者毎の独立した利用者番号を発行し，その番号をファイル管理部分に挿入することで実現することが可能となる．
【００１１】
ここで，仮に利用者が自らの暗号鍵で，他の利用者がダウンロードした暗号化コンテンツに対して利用者情報抽出手段２１を用いて暗号を解読した場合，利用者情報更新手段２１１により生成されるコンテンツおよび暗号化コンテンツ内に埋め込む個人情報を利用者の情報へ更新する．これにより暗号コンテンツをダウンロードしようが利用者間で授受しようが，その暗号を解いた者が所有者であることが明確化される．
【００１２】
以上のように利用者情報抽出手段２１では，どのような方法で入手したコンテンツであろうが，その暗号を解いた者が所有者とするだけでなく，当該コンテンツは，コンテンツに埋め込まれた利用者から暗号鍵に埋め込まれた利用者へ授受されたという授受情報を抽出する．
【００１３】
人間ネットワーク情報収集者３は，このコンテンツの授受情報を利用者ネットワーク作成手段３１において，人をノード，授受関係を有向エッジとしたグラフで表現する．これによりコンテンツが誰から誰に授受されたかが明確に表現したコンテンツ授受の人間ネットワークを抽出できる．
【００１４】
【発明の効果】
以上のように，本発明を用いれば，現時点での利用者も明確になるためコンテンツセキュリティを向上させることが可能となると共に，配信コンテンツが誰から誰に授受されたかと言うコンテンツ授受のネットワーク情報が明確になるので，今後誰に対してマーケッティングを実施すれば効率的かという情報を得ることができる．
【図面の簡単な説明】
【図１】本発明におけるコンテンツ授受情報からの人間ネットワークの抽出システムの概要を示す図面である．
【符号の説明】
１　　　コンテンツ配信者
１１　　利用者登録手段
１２　　コンテンツ暗号化手段
１３　　利用者暗号鍵生成手段
２　　　コンテンツ利用者
２１　　利用者情報抽出手段
２１１　利用者情報更新手段
３　　　人間ネットワーク情報収集者
３１　　利用者ネットワーク作成手段
【図１】
2004040746.tif 000003